(57)【要約】【課題】アクセス管理に関わる登録等の処理を効率的に行えるようにする。【解決手段】サーバとして動作する機器Ａは、ネットワークに接続される個々の機器Ｂ，Ｃ，Ｄ，…と通信を行う通信装置と、ネットワーク上のある機器から別の機器へのアクセスの可否を機器毎に示すアクセス管理情報を記憶する記憶媒体とを備えている。この機器Ａは、ネットワークに新たに接続される新規の機器を検出し、一定の条件を満たす場合、当該新規の機器に関する情報をアクセス管理情報に追加するとともに、その新規の機器に対してネットワーク上の機器へのアクセスを許可する。【選択図】図１
2006338291.tif 000002
【特許請求の範囲】
【請求項１】
ネットワークに接続される個々の機器と通信を行う通信手段と、
前記ネットワーク上のある機器から別の機器へのアクセスの可否を機器毎に示すアクセス管理情報を記憶する記憶手段と、
前記通信手段を通じて前記ネットワークに新たに接続される新規の機器を検出し、一定の条件を満たす場合、前記新規の機器に関する情報を前記記憶手段に記憶された前記アクセス管理情報に追加するとともに、前記新規の機器に対して前記ネットワーク上の機器へのアクセスを許可する制御手段と
を具備することを特徴とする電子機器。
【請求項２】
前記アクセス管理情報を表示する表示手段と、
前記表示手段に表示される前記アクセス管理情報の編集を行うための入力手段と
を更に具備することを特徴とする請求項１記載の電子機器。
【請求項３】
前記入力手段の所定の操作に応じて、前記新規の機器から前記ネットワーク上の機器へのアクセスの可否を設定する設定手段を更に具備することを特徴とする請求項２記載の電子機器。
【請求項４】
前記制御手段は、前記アクセス管理情報に変化が生じた場合、変化した情報を前記ネットワーク上の個々の機器へ通知することを特徴とする請求項１記載の電子機器。
【請求項５】
前記制御手段は、前記ネットワーク上の機器から所定の要求があった場合、前記アクセス管理情報のうち、前記要求を行った機器に関連する部分の情報をその機器へ送ることを特徴とする請求項１記載の電子機器。
【請求項６】
ネットワークに接続される個々の機器と通信を行う通信手段を備えたコンピュータにおいてアクセス管理を行うためのプログラムであって、
前記ネットワーク上のある機器から別の機器へのアクセスの可否を機器毎に示すアクセス管理情報を記憶手段に記憶する機能と、
前記通信手段を通じて前記ネットワークに新たに接続される新規の機器を検出し、一定の条件を満たす場合、前記新規の機器に関する情報を前記記憶手段に記憶された前記アクセス管理情報に追加するとともに、前記新規の機器に対して前記ネットワーク上の機器へのアクセスを許可する機能と
をコンピュータに実現させることを特徴とするプログラム。
【請求項７】
前記アクセス管理情報を表示手段に表示する機能と、
前記表示手段に表示される前記アクセス管理情報を入力手段により編集する機能と
を更にコンピュータに実現させることを特徴とする請求項６記載のプログラム。
【請求項８】
前記入力手段の所定の操作に応じて、前記新規の機器から前記ネットワーク上の機器へのアクセスの可否を設定する機能を更にコンピュータに実現させることを特徴とする請求項７記載のプログラム。
【請求項９】
前記アクセス管理情報に変化が生じた場合、変化した情報を前記ネットワーク上の個々の機器へ通知する機能を更にコンピュータに実現させることを特徴とする請求項６記載のプログラム。
【請求項１０】
前記ネットワーク上の機器から所定の要求があった場合、前記アクセス管理情報のうち、前記要求を行った機器に関連する部分の情報をその機器へ送る機能を更にコンピュータに実現させることを特徴とする請求項６記載のプログラム。
【発明の詳細な説明】
【技術分野】
【０００１】
本発明は、ネットワークに接続される個々の機器と通信を行う通信手段を備えた電子機器に関し、特に、ネットワーク上の機器のアクセス管理を行うことが可能な電子機器およびアクセス管理用プログラムに関する。
【背景技術】
【０００２】
例えば家庭内などにおいては、ホームサーバなどのサーバと複数の電化製品とを接続してホームネットワークが構築されることがある。このようなネットワークにおいては、一般に、ネットワーク上に接続される個々の機器をサーバが一元管理している。
【０００３】
例えば、特許文献１には、家庭内の各部屋に設置された電化製品を、サーバ内の機器管理テーブルで一元管理する技術が開示されている。
【特許文献１】特開２００４−３２８３７４号公報
【発明の開示】
【発明が解決しようとする課題】
【０００４】
ネットワークに個々の機器を新たに接続する際には、特にＴＶやＤＶＤレコーダ等のＡＶ機器にはキーボード等の入力装置が備えられていないため、機器に付属するリモートコントローラなどを用いて、１台ずつ、サーバ等へのアクセスを可能とするための登録作業を行わなければならない。また、ある機器からある機器へのアクセスが不可となるように設定したい場合も、同様に作業が煩雑となる。
【０００５】
このような登録や設定などの作業は使用者にとって煩雑で分かり難く、手間がかかり、間違った操作をしてしまう可能性もある。
【０００６】
本発明は上記実情に鑑みてなされたものであり、アクセス管理に関わる登録等の処理を効率的に行うことができる電子機器およびアクセス管理用プログラムを提供することを目的とする。
【課題を解決するための手段】
【０００７】
本発明に係る電子機器は、ネットワークに接続される個々の機器と通信を行う通信手段と、前記ネットワーク上のある機器から別の機器へのアクセスの可否を機器毎に示すアクセス管理情報を記憶する記憶手段と、前記通信手段を通じて前記ネットワークに新たに接続される新規の機器を検出し、一定の条件を満たす場合、前記新規の機器に関する情報を前記記憶手段に記憶された前記アクセス管理情報に追加するとともに、前記新規の機器に対して前記ネットワーク上の機器へのアクセスを許可する制御手段とを具備することを特徴とする。
【発明の効果】
【０００８】
本発明によれば、アクセス管理に関わる登録等の処理を効率的に行うことができる。
【発明を実施するための最良の形態】
【０００９】
以下、図面を参照して、本発明の実施形態を説明する。  
図１は、本発明の一実施形態に係るシステムの構成を示す図である。
【００１０】
このシステムは、１台の管理サーバ（もしくはホスト）を含む複数の電子機器（デバイス）で構成される。各機器は通信装置を備えており、通信装置により有線ＬＡＮや無線ＬＡＮなどのネットワークを通じて相互に通信することができる。例えば、機器Ａにはパーソナルコンピュータ（ＰＣ）、機器Ｂには録画再生装置、機器ＣにはＰＣ、機器ＤにはＨＤＤ、機器ＥにはデジタルＴＶが適用される。
【００１１】
機器Ａは、表示装置および入力装置を備えており、例えばホームネットワークのサーバとして動作することが可能である。サーバとして動作する機器Ａは、ネットワーク上のある機器から別の機器へのアクセスの可否を機器毎に示すアクセス管理情報を記憶した記憶媒体を備えており、この情報に基づいて機器Ａ，Ｂ，Ｃ，Ｄ，Ｅのアクセスに関する処理を一元管理する。
【００１２】
例えば、サーバとしての機器Ａは、通信装置を通じてネットワークに新たに接続される新規の機器を検出し、一定の条件を満たす場合、当該新規の機器に関する情報をアクセス管理情報（アクセス管理リスト）に追加するとともに、その新規の機器にネットワーク上の機器へのアクセスを許可する。このような動作は、サーバに設けられるプロセッサがアクセス管理プログラム（以下、管理プログラムと称す）を実行することにより実現される。
【００１３】
一方、クライアント（もしくは非ホスト）として動作する機器Ｂ，Ｃ，Ｄ，Ｅは、ネットワークに新たに参加する際には、通信装置を通じてサーバを検索する処理を開始し、一定の条件を満たせばサーバからネットワーク参加の許諾を受け、更に、サーバからアクセスに必要な情報として上記アクセス管理情報もしくはその一部（そのクライアントからのアクセスが許可されている機器のＭＡＣアドレスなど）を取得したりすることができる。そして、取得したＭＡＣアドレスなどを用いて所望のアクセスを行うことができる。このような動作は、クライアントに設けられるプロセッサが制御プログラムを実行することにより実現される。
【００１４】
図２は、図１中に示される機器Ａの構成の一例を示す図である。  
図２に示されるパーソナルコンピュータ１０は、図１中に示した機器Ａに相当するものである。
【００１５】
本コンピュータ１０は、コンピュータ本体１１と、ディスプレイユニット１２とから構成されている。ディスプレイユニット１２にはＬＣＤ（Liquid Crystal Display）１７から構成される表示装置が組み込まれており、そのＬＣＤ１７の表示画面はディスプレイユニット１２のほぼ中央に位置されている。
【００１６】
ディスプレイユニット１２は、コンピュータ本体１１に対して開放位置と閉塞位置との間を回動自在に取り付けられている。コンピュータ本体１１は薄い箱形の筐体を有しており、その上面にはキーボード１３、本コンピュータ１を電源オン／オフするためのパワーボタン１４、入力操作パネル１５、およびタッチパッド１６などが配置されている。
【００１７】
入力操作パネル１５は、押されたボタンに対応するイベントを入力する入力装置であり、複数の機能をそれぞれ起動するための複数のボタンを備えている。これらボタン群には、ＴＶ起動ボタン１５Ａ、ＤＶＤ（Digital Versatile Disc）起動ボタン１５Ｂも含まれている。ＴＶ起動ボタン１５Ａは、デジタルＴＶ放送番組のような放送番組データの再生及び記録を行うためのＴＶ機能を起動するためのボタンである。ＴＶ起動ボタン１５Ａがユーザによって押下された時、ＴＶ機能を実行するためのアプリケーションプログラムが自動的に起動される。ＤＶＤ起動ボタン１５Ｂは、ＤＶＤに記録されたビデオコンテンツを再生するためのボタンである。ＤＶＤ起動ボタン１５Ｂがユーザによって押下された時、ビデオコンテンツを再生するためのアプリケーションプログラムが自動的に起動される。
【００１８】
図３は、図２に示されるコンピュータのシステム構成を示す図である。  
本コンピュータ１０は、図３に示されているように、ＣＰＵ１１１、ノースブリッジ１１２、主メモリ１１３、グラフィクスコントローラ１１４、サウスブリッジ１１９、ＢＩＯＳ−ＲＯＭ１２０、ハードディスクドライブ（ＨＤＤ）１２１、光ディスクドライブ（ＯＤＤ）１２２、デジタルＴＶ放送チューナ１２３、エンベデッドコントローラ／キーボードコントローラＩＣ（ＥＣ／ＫＢＣ）１２４、およびネットワークコントローラ１２５等を備えている。
【００１９】
ＣＰＵ１１１は本コンピュータ１０の動作を制御するために設けられたプロセッサであり、ハードディスクドライブ（ＨＤＤ）１２１から主メモリ１１３にロードされる、オペレーティングシステム（ＯＳ）、および管理プログラム２０１のような各種アプリケーションプログラムを実行する。
【００２０】
また、ＣＰＵ１１１は、ＢＩＯＳ−ＲＯＭ１２０に格納されたシステムＢＩＯＳ（Basic Input Output System）も実行する。システムＢＩＯＳはハードウェア制御のためのプログラムである。
【００２１】
ノースブリッジ１１２はＣＰＵ１１１のローカルバスとサウスブリッジ１１９との間を接続するブリッジデバイスである。ノースブリッジ１１２には、主メモリ１１３をアクセス制御するメモリコントローラも内蔵されている。また、ノースブリッジ１１２は、ＡＧＰ（Accelerated Graphics Port）バスなどを介してグラフィクスコントローラ１１４との通信を実行する機能も有している。
【００２２】
グラフィクスコントローラ１１４は本コンピュータ１０のディスプレイモニタとして使用されるＬＣＤ１７を制御する表示コントローラである。このグラフィクスコントローラ１１４はビデオメモリ（ＶＲＡＭ）１１４Ａに書き込まれた画像データからＬＣＤ１７に送出すべき表示信号を生成する。
【００２３】
サウスブリッジ１１９は、ＬＰＣ（Low Pin Count）バス上の各デバイス、およびＰＣＩ（Peripheral Component Interconnect）バス上の各デバイスを制御する。また、サウスブリッジ１１９は、ＨＤＤ１２１、ＯＤＤ１２２を制御するためのＩＤＥ（Integrated Drive Electronics）コントローラを内蔵している。さらに、サウスブリッジ１１９は、デジタルＴＶ放送チューナ１２３を制御する機能、およびＢＩＯＳ−ＲＯＭ１２０をアクセス制御するための機能も有している。
【００２４】
ＨＤＤ１２１は、各種ソフトウェア及びデータを格納する記憶装置である。光ディスクドライブ（ＯＤＤ）１２３は、ビデオコンテンツが格納されたＤＶＤなどの記憶メディアを駆動するためのドライブユニットである。デジタルＴＶ放送チューナ１２３は、デジタルＴＶ放送番組のような放送番組データを外部から受信するための受信装置である。
【００２５】
エンベデッドコントローラ／キーボードコントローラＩＣ（ＥＣ／ＫＢＣ）１２４は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１２４は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１２４は、ユーザによるＴＶ起動ボタン１５Ａ、ＤＶＤ起動ボタン１５Ｂの操作に応じて、本コンピュータ１０をパワーオンすることもできる。ネットワークコントローラ１２５は、ＬＡＮなどのネットワークを通じて前述の機器Ｂ，Ｃ，Ｄ，Ｅ等との通信を行う通信装置である。
【００２６】
図４は、図３中に示される管理プログラム２０１の機能構成を示すブロック図である。  
管理プログラム２０１は、記憶部３０１、設定処理部３０２、制御部３０３などの各種機能を備えている。
【００２７】
記憶部３０１は、ネットワーク上のある機器から別の機器へのアクセスの可否を機器毎に示すアクセス管理リストなどを含む各種設定情報を記憶するものである。
【００２８】
設定処理部３０２は、キーボード１３などの入力装置を用いる使用者の所定の操作に応じて、ネットワークに新たに接続される新規の機器からネットワーク上の別の機器へのアクセスの可否を設定したり、ネットワーク上のある機器から別の機器へのアクセスの可否を設定したりするものである。設定した内容は、記憶部３０１などに反映される。
【００２９】
制御部３０３は、ネットワークコントローラ１２５などの通信装置を通じてネットワークに新たに接続される新規の機器を検出し、一定の条件を満たす場合（例えば、予め設定しておいた設定情報が新規の機器のネットワークへの参加を常に許可することを示している場合）、この新規の機器に関する情報を、記憶部３０１に記憶されているアクセス管理リストに追加するとともに、その新規の機器にネットワーク上の機器へのアクセスを許可する等といった制御を行うものである。また、制御部３０３は、アクセス管理リストに変化が生じた場合に、変化した情報をネットワーク上の個々の機器へ通知して情報の整合性を維持したり、ネットワーク上の機器から所定の要求があった場合に、アクセス管理リストのうち、その要求を行った機器に関連する部分（例えば、要求があった機器からのアクセスが許可されている機器のＭＡＣアドレスの情報のみ）をその機器へ送ったりする機能も備えている。
【００３０】
こうした機能を備えた管理プログラム２０１は、機器Ａのほかに、使用者が設定処理を行うために必要な表示装置および入力装置、並びにプログラムの実行に必要なプロセッサを有する他の機器（機器Ｃなど）に適用することができる。このような管理プログラム２０１を備えた機器は、例えば機器Ａからサーバ権を譲り受け、サーバとして動作することができる。
【００３１】
図５は、図４中に示される記憶部３０１が記憶するアクセス管理リストの一例を示す図である。なお、図５中に示されるデバイスＡ，Ｂ，Ｃ，…は、図１中に示した機器Ａ，Ｂ，Ｃ，…に相当するものである。
【００３２】
図５の例では、アクセス管理リストの例えば１行目にサーバとしてのデバイスＡに関する情報が記述され、２行目にデバイスＢに関する情報が記述され、３行目にデバイスＣに関する情報が記述されている。なお、これらの情報のほかに、最終アクセス日時や、アクセス回数などの情報も逐次記述されるように構築してもよい。
【００３３】
各デバイスの行には、自身のＭＡＣアドレス，許可デバイス１（自身に対するアクセスが許可されている第１のデバイス）のＭＡＣアドレス，許可デバイス２（自身に対するアクセスが許可されている第２のデバイス）のＭＡＣアドレス，…が記述されている。
【００３４】
例えば、デバイスＡの行に示されているＭＡＣアドレス「00-90-96-A7-43-80」，「00-90-96-A7-43-81」，…の各デバイスは、デバイスＡへのアクセスが許可され、これら以外のデバイスはデバイスＡへのアクセスが禁止されるように制御される。
【００３５】
図６は、図５に示したアクセス管理リストの内容を編集するための編集画面の一例を示す図である。この編集画面は、例えばＬＣＤ１７に表示される。  
前述の設定処理部３０２は、図６に示されるように、アクセス管理リストの内容を使用者に理解しやすい形式にしたデバイスリスト５０を表示することができる。このデバイスリスト５０において使用者が編集ボタン５１を押下することにより、編集が可能な状態になる。この状態においては、使用者は、変更の対象となる欄を指定して、追加ボタン５２や削除ボタン５３などを必要に応じて押下することにより、所望の編集を行える。また、マウスのクリック操作などにより、該当するデバイスへのアクセスの許可／禁止を簡単に切り替えできるようになっている。編集した内容を確定する際には、終了ボタン５４を押下する。
【００３６】
図７は、アクセス管理に関する設定を行うための設定画面の一例を示す図である。この設定画面は、例えばＬＣＤ１７に表示される。  
設定処理部３０２は、図７に示されるように、アクセス管理リストを編集するための設定項目を含む設定画面を表示することができる。この設定画面は、「新デバイスへの対応」の設定項目６１、「参加を許可したときの対応」の設定項目６２、「アクセス管理リストの編集」の設定項目６３などを備えている。
【００３７】
設定項目６１においては、新規のデバイスがネットワークへの参加を要求してくるときの対応として、i)「新デバイスの参加を常に許可する」、ii)「新デバイスの参加を常に禁止する」、iii)「新デバイスの参加を許可／禁止するかをその都度決める」といった各種の選択項目が設けられ、いずれか一つを選択できるようになっている。
【００３８】
設定項目６２においては、新規のデバイスにネットワークへの参加を許可したときの対応として、i)「リストの全部を送信する」、ii)「リストの一部のみを送信する」、iii)「リストはこの時点では送信しない」といった各種の選択項目が設けられ、いずれか一つを選択できるようになっている。
【００３９】
設定項目６３においては、アクセス管理リストの編集を行うためのボタン「リストを開く」が設けられ、当該ボタンを押下することにより、アクセス管理リストの編集画面（例えば、前述した図６に相当する画面）を表示させることができる。
【００４０】
次に、図８および図９のフローチャートを参照して、サーバ側（ホスト側）の管理プログラムによる動作を説明する。
【００４１】
図８に示されるように、サーバ機器（例えば前述の機器Ａ）は、通信装置を通じて、他のデバイス（例えば前述の機器Ｂ，Ｃ，Ｄ，Ｅのいずれか）から、ネットワークへの接続要求もしくはアクセス要求があるか否かを監視している（ステップＳ１１）。要求があった場合には（ステップＳ１１のＹｅｓ）、要求してきたデバイスからＭＡＣアドレス等の情報を取得し（ステップＳ１３）、アクセス管理リストを含む設定情報を確認し（ステップＳ１４）、そのデバイスがアクセス管理リストに未登録の新規なデバイスであるか否かが判別される（ステップＳ１５）。
【００４２】
新規なデバイスであれば（ステップＳ１５のＹｅｓ）、アクセス管理リストを含む設定情報を参照することにより、ネットワークへの参加を許可すべきか否かが判定される（ステップＳ１６）。参加を許可する場合は（ステップＳ１６のＹｅｓ）、そのデバイスのＭＡＣアドレスなどをアクセス管理リストに追加登録するとともに、その旨を他のデバイスへ通知する（例えば、アクセス管理リスト中の該当する部分を送信する）（ステップＳ１７）。これにより、ネットワークに接続されている個々のデバイスが有する情報の整合性が維持される。そして、参加を要求したデバイスに対し、ネットワークへの参加を許可する旨を通知し（ステップＳ１８）、その後、ステップＳ１１からの処理を繰り返す。
【００４３】
なお、ステップＳ１８において参加を要求したデバイスに対してネットワーク参加を許可するときに、アクセス管理リストの一部（例えば、参加を要求したデバイスからのアクセスが許可されているデバイスのＭＡＣアドレスの情報のみ）もしくは全部をそのデバイスに送信するようにしてもよいし、当該リストの要求が別途あったときにあらためて送信するようにしてもよい。
【００４４】
ステップＳ１６において、参加を許可しない場合は（ステップＳ１５のＮｏ）、そのデバイスのネットワークへの参加を拒否し（ステップＳ１９）、その後、ステップＳ１１からの処理を繰り返す。
【００４５】
一方、ステップＳ１５において、要求してきたデバイスがアクセス管理リストに未登録の新規なデバイスではなく、登録済みのデバイスである場合には（ステップＳ１５のＮｏ）、図９に示されるように、アクセス管理リストを含む設定情報を参照することにより、アクセスを許可すべきか否かが判定される（ステップＳ２１）。許可する場合には（ステップＳ２１のＹｅｓ）、そのアクセス要求を受け付けて、要求された処理を実行し（ステップＳ２２）その後、ステップＳ１１からの処理を繰り返す。
【００４６】
ステップＳ２１において、アクセスを許可しない場合には（ステップＳ２１のＮｏ）、アクセス要求を拒否し（ステップＳ２３）、その後、ステップＳ１１からの処理を繰り返す。
【００４７】
次に、図１０のフローチャートを参照して、クライアント側（非ホスト側）の制御プログラムによる動作を説明する。
【００４８】
図８に示されるように、クライアント機器（例えば前述の機器Ｂ）は、ネットワークに未加入の状態にあれば（ステップＳ３１のＮｏ）、通信装置を通じてサーバを検索し、ネットワークへの参加を要求する（ステップＳ３２）。サーバからネットワークへの参加を許可する旨の応答を受けた場合には（ステップＳ３３のＹｅｓ）、サーバから取得したリストなどの情報を所定の記憶領域に記憶しておく（ステップＳ３４）。ネットワークへの参加を許可されなかった場合には（ステップＳ３３）、これ以上の処理は行われない。
【００４９】
ネットワークへの加入が認められた後は（ステップＳ３１のＹｅｓ）、クライアント機器は、ネットワーク上のサーバもしくは他の機器に対し、リストに示されるＭＡＣアドレスを用いることにより、通信装置を通じて所望のアクセス要求を行う（ステップＳ３５）。
【００５０】
このように本実施形態によれば、アクセス管理に関わる登録等の処理を効率的に行うことができる。特に、新規のデバイスのネットワークへの接続処理においては、処理の煩雑さを低減でき、ユーザにかかる手間を大幅に低減できる。また、登録内容や設定内容などの変更も容易に行うことができる。更には、サーバが備えている管理プログラムを他の機器にも搭載することにより、サーバとしての機能を他の機器に容易に移すことができ、使用者が望むシステム形態を実現しやすくなる。
【００５１】
上述した実施形態で述べた本発明に係る各種の処理手順は、コンピュータプログラムとして、コンピュータにより読み取り可能な記憶媒体（例えば磁気ディスク，光ディスク，半導体メモリ）に記憶させておき、必要に応じてそれをプロセッサにより読み出して実行するようにしてもよい。また、このようなコンピュータプログラムは、通信媒体を介してあるコンピュータから他のコンピュータに伝送することにより配布することも可能である。
【００５２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５３】
【図１】本発明の一実施形態に係るシステムの構成を示す図。
【図２】図１中に示される機器Ａの構成の一例を示す図。
【図３】図２に示されるコンピュータのシステム構成を示す図。
【図４】図３中に示される管理プログラムの機能構成を示すブロック図。
【図５】図４中に示される記憶部が記憶するアクセス管理リストの一例を示す図。
【図６】図５に示したアクセス管理リストの内容を編集するための編集画面の一例を示す図。
【図７】アクセス管理に関する設定を行うための設定画面の一例を示す図。
【図８】サーバ側（ホスト側）の管理プログラムによる動作を示すフローチャート（前半部）。
【図９】サーバ側（ホスト側）の管理プログラムによる動作を示すフローチャート（後半部）。
【図１０】クライアント側（非ホスト側）の制御プログラムによる動作を示すフローチャート。
【符号の説明】
【００５４】
１０…コンピュータ、５０…デバイスリスト、５１…編集ボタン、５２…追加ボタン、５３…削除ボタン、５４…終了ボタン、６１〜６３…設定項目、１１１…ＣＰＵ、１１３…メモリ、１１４…グラフィクスコントローラ、２０１…管理プログラム、３０１…記憶部、３０２…設定処理部、３０３…制御部。
【図１】
2006338291.tif 000003
【図２】
2006338291.tif 000004
【図３】
2006338291.tif 000005
【図４】
2006338291.tif 000006
【図５】
2006338291.tif 000007
【図６】
2006338291.tif 000008
【図７】
2006338291.tif 000009
【図８】
2006338291.tif 000010
【図９】
2006338291.tif 000011
【図１０】
2006338291.tif 000012